(57)【要約】【課題】バルコニーを支持するのに十分な強度を確保することができるとともに、下方から見たときの外観上の体裁を良好にする。【解決手段】建物躯体の胴差し１０から屋外側に向かって複数の支持ブラケット１１を平行に突設し、支持ブラケット１１の先端に前桁１を固定し、この前桁１と上記胴差し１０に設けられた根太掛け２４の各両端を妻梁２で連結して方形の底部枠３を構成し、上記底部枠３を上記支持ブラケット１１で支持するとともに、上記支持ブラケット１１の上面部を除き、その両側面部と下面部とをアルミニウム製のカバー３７で覆ったことを特徴とする。【選択図】図１０
2006070510.tif 000002
【特許請求の範囲】
【請求項１】
建物躯体の胴差しから屋外側に向かって複数の支持ブラケットを平行に突設し、支持ブラケットの先端に前桁を固定し、この前桁と上記胴差しに設けられた根太掛けの各両端を妻梁で連結して方形の底部枠を構成し、上記底部枠を上記支持ブラケットで支持するとともに、
上記支持ブラケットの上面部を除き、その両側面部と下面部とをアルミニウム製のカバーで覆った
ことを特徴とするバルコニー。
【請求項２】
前記カバーは断面が上向きに開放するコ字形である、請求項１記載のバルコニー。
【請求項３】
前記カバーの下面部を前記先付けブラケットの下面に固定した、請求項１記載のバルコニー。
【発明の詳細な説明】
【技術分野】
【０００１】
本発明はバルコニー、詳しくは支柱や建物躯体の柱を利用せず、建物躯体の胴差しを利用して支持されるバルコニーに関するものである。
【背景技術】
【０００２】
一般に、木造住宅用のバルコニーには、建物躯体とは独立に設けられた支柱に直接支持させるタイプのものと、建物躯体の2本の柱からブラケットを突設し、これらのブラケットにバルコニーの妻梁を支持させる柱無しタイプのものがある。
【０００３】
ところが、建物躯体の片入隅部や両入隅部にバルコニーを設置する必要があるときは、建物躯体の柱を利用することができない。屋外に面する柱が、片入隅部では1本しかなく、両入隅部では全くないからである。そこで、建物躯体の胴差しを利用してバルコニーの床部を支持する方式のものが実施されている。これは、胴差しに複数の鋼鉄製のブラケットを固定し、さらに各ブラケットに筒形の梁を外嵌し、梁の先端に前桁を固定し、前桁と胴差しに設けられた根太掛けの各両端を妻梁で連結して方形の底部枠を構成するもので、底部枠を上記先付けブラケットで支持するものである（特許文献１参照）。
【特許文献１】特許第２６１８２９２号公報
【発明の開示】
【発明が解決しようとする課題】
【０００４】
しかしながら、梁はブラケットに外嵌され、しかも梁に設けた長穴にボルトを通してブラケットのネジ穴に螺合する構造であるから、調整量が大きいときは、底部枠と同じアルミニウム製の梁の端部から鋼鉄製のブラケットが露出する。バルコニーは地上から見上げたときにその下底面が見える。このため、露出したブラケットは他のアルミニウム製の部材と色や質感が異なるから、体裁が悪い。
【０００５】
また、強度の高い鋼鉄製のブラケットと強度の高くないアルミニウム製の梁とを結合してバルコニーを支持する構成では、強度に問題がある。
【０００６】
本発明は上記問題点を解消し、バルコニーを支持するのに十分な強度を確保することができるとともに、下方から見たときの外観上の体裁を良好にすることができるバルコニーを提供することをその課題とする。
【課題を解決するための手段】
【０００７】
前記課題を解決するため、本発明に係るバルコニーは、建物躯体の胴差しから屋外側に向かって複数の支持ブラケットを平行に突設し、支持ブラケットの先端に前桁を固定し、この前桁と上記胴差しに設けられた根太掛けの各両端を妻梁で連結して方形の底部枠を構成し、上記底部枠を上記支持ブラケットで支持するとともに、上記支持ブラケットの上面部を除き、その両側面部と下面部とをアルミニウム製のカバーで覆ったことを特徴とする。
【０００８】
なお、前記カバーは断面が上向きに開放するコ字形にするのが好ましく、また、前記カバーは、その下面部を前記先付けブラケットの下面に固定するのがよい。
【発明の効果】
【０００９】
請求項１に係る発明によれば、支持ブラケットは強度の高い鋼鉄製であるから、バルコニーを支持するのに十分な強度を確保することができる。また、支持ブラケットは鋼鉄製であるのに対し、その他のバルコニーの各部材は上記他の部材と同じくアルミニウム製であり、上記支持ブラケットがバルコニーの下方に露出するが、支持ブラケットはアルミニウム製のカバーによって覆われるので、カバーの取り付けにより、先付けブラケットの露出を防止し、アルミニウム製の周囲の部材と色を調和させることができ、下方から見たときの外観上の体裁を良好にすることができる。しかも、上記カバーは支持ブラケットの上面部を除き、その両側面部と下面部とを覆うものであり、上面部を覆う必要はないから、カバーはバルコニーの下方から取り付けることができ、その作業は非常に容易である。さらに、支持ブラケットは固定ボルトで胴差しに固定するのが一般的であるが、この場合、カバーは上面部を覆っていないので、下方に外すことができ、必要なときにはカバーを外して固定ボルトの増し締めをすることができる。
【００１０】
請求項２に係る発明によれば、カバーは断面が上向きに開放するコ字形であるから、カバーは下から取り付けることができるので、胴差しに支持ブラケットを固定した後はいつでもカバーを取り付けることができる。作業順序を間違えても問題ない。
【００１１】
請求項３に係る発明によれば、カバーは下から取り付けることができるので、胴差しに支持ブラケットを固定した後はいつでもカバーを取り付けることができる。
【実施例】
【００１２】
図１は建物躯体の壁面に設置されたバルコニーを示す。このバルコニーは前桁１と前桁１の両側の妻梁２とをコ字形に連結し、さらに両側の妻梁２の基部側の端部を根太掛け（図示せず）で連結することによって方形の底部枠３を形成し、その内側に床材９を配し、前桁１と妻梁２の上部に桁上柱４と壁付け縦枠５と縦格子６とを立設し、さらにこれらの部材の上に上下2段の前笠木７と妻笠木８とを連続配置したもので、上記各部材はアルミニウムから構成されている。
【００１３】
次に、上記バルコニーは胴差し１０に平行に突設された複数の（ここでは２本の）支持ブラケット１１によって支持されている。図２および図３に示されるように、支持ブラケット１１は先付けブラケット１１ａと後に詳しく示す固定ブラケット１１ｂとにより構成されている鋼鉄製の部材である。先付けブラケット１１ａは、断面がコ字形で、基部には固定板１２が溶接固定されている。先付けブラケット１１ａは、固定板１２から挿通して胴差し１０を貫通させたボルト１５を上記補強ブラケット１４にナット１６で締め付けて固定する。なお、１７は根太、１８は床梁、１９は側根太である。根太１７の一部は補強金具１４ａで補強するのが好ましい。
【００１４】
また、図４に示されるように、先付けブラケット１１ａを側根太１９部分に固定するときは、補強梁１３を取り付けた後、補強金具１４を使用して図３と同様にして固定する。
【００１５】
次に、図５〜図９に示されるように、胴差し１０の側面には根太掛け２４を固定する。根太掛け２４は根太掛け上材２４ａと根太掛け下材２４ｂとから構成され、根太掛け上材２４ａは両側の妻梁間の間隔に対応する連続一体のものとして形成され、垂直の取付縁２５の上端からデッキカバー部２２を直角に突出するとともに、図８に示されるように、上記取付縁２５の下端には背面側に開口する係止溝２６が形成されている。係止溝２６の下側部は上側部よりも短く形成されている。そして、図５のように、先付けブラケット１１ａの上に配置して（乗せてもよい）位置出しした後、上記取付縁２５をコーチスクリュー３２等の固定手段によって壁面に固定する。このとき、係止溝２６の下部と胴差し１０との間には隙間が形成される。これに対し、根太掛け下材２４ｂは、先付けブラケット１１ａ間と先付けブラケット１１ａ・妻梁２間に配置される分割材で、取付縁２８と根太受け２９とを略Ｌ字形に形成してなり、取付縁２５の上端には係止部３０が屈曲形成されている。根太掛け下材２４ｂを固定するときは、図８の点線のように、取付縁２８を水平にして根太掛け上材２４ａの下端まで持ち上げて先端の係止部３０を根太掛け上材２４ａの係止溝２６に差込んだ後に矢印のように回転させて、根太掛け下材２４ｂを根太掛け上材２４ａに係止させ、これによって位置出しした後に上記取付縁２８をコーチスクリュー３２等の固定手段によって胴差し１０に固定する。
【００１６】
なお、根太掛け上材２４ａと根太掛け下材２４ｂとは、それぞれ切断によって長さを調整できるから、現場の状況に容易に対応することができる。
【００１７】
次に、図９に示されるように、先付けブラケット１１ａの先端には固定ブラケット１１ｂを介して前桁１が固定されている。固定ブラケット１１ｂは鋼鉄製の板材を折り曲げ加工したもので、先付けブラケット１１ａとともに支持ブラケット１１を構成する。そして、固定ブラケット１１ｂの端部の折り曲げ部３３を前桁１にボルトで固定し、さらに先付けブラケット１１ａの内側に嵌合され、先付けブラケット１１ａの側板の長穴３４からボルト３５を固定ブラケット１１ｂの側部のネジ孔３６に螺合して固定されている。前桁１と根太掛け２４の各両端は妻梁２によって連結し、方形の底部枠３が形成される。
【００１８】
さらに、図１０および図１１に示されるように、支持ブラケット１１には、下からカバー３７が取り付けられている。このカバー３７は下面部３７ａと両側面部３７ｂとから断面コ字形に形成されたアルミニウム製押出形材で、先付けブラケット１１ａよりやや幅広で、略同じ高さとし、下から支持ブラケット１１の上面部４４を除き、その下面部４５と両側面部４６とを覆い、カバー３７の下面部３７ａは前記支持ブラケット１１の下面にネジ３８によって固定されている。なお、カバー３７は支持ブラケット１１の固定後、いつでも取り付けることができる。３９は小口蓋である。
【００１９】
そして、図１２のように、根太４０の両端を底部枠３の根太掛け下材２４ｂの根太受け２９と前桁１の背面に固定したブラケット４１とに支持させて固定し、さらに根太４０の上部と妻梁２の内側の妻雨樋４２（図１０参照）にデッキ材９（床材）を支持させて底部の主要部が構成される。
【００２０】
上述のように、支持ブラケット１１は強度の高い鋼鉄製であるから、バルコニーを支持するのに十分な強度を確保することができる。また、支持ブラケット１１は鋼鉄製であるのに対し、その他のバルコニーの各部材はアルミニウム製であり、上記支持ブラケット１１がバルコニーの下方に露出するが、支持ブラケット１１はアルミニウム製のカバー３７によって覆われるので、下方から見たときの外観上の体裁を良好にすることができる。
【００２１】
カバー３７は下から取り付けることができるので、胴差し１０に支持ブラケット１１を固定した後はいつでもカバー３７を取り付けることができる。また、カバー３７の下面部は支持ブラケット１１の下面にネジ３８によって固定されるものであるから、カバー３７の取付作業も非常に容易である。作業順序を間違えても問題ない。カバー３７の取り付けにより、先付けブラケット１１ａの露出を防止し、アルミニウム製の周囲の部材と色を調和させることができる。さらに、必要なときにはカバー３７を外して固定ボルトの増し締めをすることができる。
【００２２】
なお、上述の例は、建物躯体の通常の壁面から突出するバルコニーを胴差しに固定された支持ブラケットに支持させた例であるが、上記バルコニーは同様の要領で建物躯体の片入隅部または両入隅部に設置することもできる。
【図面の簡単な説明】
【００２３】
【図１】本発明に係るバルコニーの斜視図である。
【図２】胴差しに対する先付けブラケットの取付状態を示す斜視図である。
【図３】胴差しに対する先付けブラケットの取付態様を示す斜視図である。
【図４】側根太に対する先付けブラケットの取付態様を示す斜視図である。
【図５】根太掛けの取付態様説明図である。
【図６】根太掛けの取付状態を示す斜視図である。
【図７】根太掛けの配置状態を示す概略図である。
【図８】根太掛けの取付けの具体的取付態様を示す側面図である。
【図９】支持ブラケットの取付態様を示す斜視図である。
【図１０】支持ブラケットに対するカバーの取付態様を示す斜視図である。
【図１１】支持ブラケットに対するカバーの取付状態を示す正面図である。
【図１２】バルコニーの要部の縦断面図である。
【符号の説明】
【００２４】
１  前桁
９  
１０  胴差し
１１  支持ブラケット
１１ａ  先付けブラケット
１１ｂ  固定ブラケット
２４  根太掛け
３７  カバー
【図１】
2006070510.tif 000003
【図２】
2006070510.tif 000004
【図３】
2006070510.tif 000005
【図４】
2006070510.tif 000006
【図５】
2006070510.tif 000007
【図６】
2006070510.tif 000008
【図７】
2006070510.tif 000009
【図８】
2006070510.tif 000010
【図９】
2006070510.tif 000011
【図１０】
2006070510.tif 000012
【図１１】
2006070510.tif 000013
【図１２】
2006070510.tif 000014